(57)【要約】【課題】  既設の耐張プレートを取り外すことなく容易に、送電線を分岐等させることができる耐張装置を提供する。【解決手段】  懸垂碍子６の自由端側（直角クレビス１０側）にヨーク１１を設け、このヨーク１１に、送電線Ｃ１，Ｃ２が架設される方向に合わせて耐張クランプ１３、１４を取り付けた耐張装置１とする。そして、この耐張装置１を既設の耐張プレートＴ２に取り付け、第１耐張クランプ１３で送電線Ｃ１を引留め、第２耐張クランプ１４で送電線Ｃ２を引留めることで、送電線Ｃ１，Ｃ２が所定の方向に分岐、架設される。【選択図】  図１
2006333651.tif 000002
【特許請求の範囲】
【請求項１】
鉄塔側に連結される被連結具と電力線を引留める耐張クランプとの間に碍子が配設されている耐張装置において、
前記電力線が架設される方向に合わせて前記耐張クランプが複数配設されている、
ことを特徴とする耐張装置。
【請求項２】
鉄塔側に連結される被連結具と電力線を引留める耐張クランプとの間に碍子が配設されている耐張装置において、
前記耐張クランプと前記碍子との間にヨークが設けられ、このヨークに、前記耐張クランプを取り付けるための取付部が前記電力線が架設され得る方向に合わせて複数設けられている、
ことを特徴とする耐張装置。
【請求項３】
鉄塔側に連結される被連結具と電力線を引留める耐張クランプとの間に碍子が配設されている耐張装置において、前記耐張クランプと前記碍子との間に配設される耐張装置用ヨークであって、
前記耐張クランプを取り付けるための取付部が前記電力線が架設され得る方向に合わせて複数設けられている、
ことを特徴とする耐張装置用ヨーク。
【発明の詳細な説明】
【技術分野】
【０００１】
本発明は、架空電力線を支持し、引留めるための耐張装置に関し、特に、複数の方向の電力線を引留めることができる耐張装置および耐張装置用ヨークに関する。
【背景技術】
【０００２】
送電線や配電線などの電力線を鉄塔に架設する場合、鉄塔の腕金先端部などに耐張装置を取り付け、この耐張装置によって電力線を支持し、引留める（張設する）場合がある。すなわち、この耐張装置は、鉄塔側に連結される被連結具と電力線を引留める耐張クランプとの間に碍子が配設されている。そして、耐張装置を所定の方向に配置して、その被連結具を鉄塔の腕金先端部に取り付けられた耐張プレートに連結し、耐張クランプで電力線を支持し、引留めて、電力線を所定の方向に架設するものである（例えば、特許文献１参照。）。
【特許文献１】特開平７−１０６０４７号公報
【発明の開示】
【発明が解決しようとする課題】
【０００３】
ところで、上記のような耐張措置では、１つの耐張措置に１つの耐張クランプしか設けられていない。このため、上記のようにして既に鉄塔に架設されている電力線を分岐させて新たな電力線（分岐線路）を設けるなどの場合、その作業に多大な労力と時間とを要していた。すなわち、例えば、電力線をＴ字形に分岐させる場合、まず、既設の電力線を鉄塔の本体（塔体）側へ仮移線して、既設の耐張装置および耐張プレート（２方向用）を取り外す。次に、３方向用（Ｔ字形）の耐張プレートを鉄塔の腕金先端部に取り付け、この耐張プレートに３つの耐張装置を取り付ける（連結する）。そして、仮移線した電力線を元の位置に戻し、各耐張装置の耐張クランプで電力線を引留める、という作業を行わなければならない。しかも、鉄塔の腕金先端部は作業場所が狭くかつ高所であるため、作業がしづらく不安定な作業姿勢を強いられる。このため、新たに電力線を分岐させるには、多大な労力と時間とを要し、作業費用が大きなものとなっていた。
【０００４】
そこで本発明は、既設の耐張プレートを取り外すことなく容易に、電力線を分岐等させることができる耐張装置および耐張装置用ヨークを提供することを目的とする。
【課題を解決するための手段】
【０００５】
上記目的を達成するために請求項１に記載の発明は、鉄塔側に連結される被連結具と電力線を引留める耐張クランプとの間に碍子が配設されている耐張装置において、電力線が架設される方向に合わせて耐張クランプが複数配設されていることを特徴としている。
（作用）
電力線が架設される方向に合わせて耐張クランプが複数配設されているため、本耐張装置を既設の耐張プレートに取り付け（連結させ）、各耐張クランプで電力線を引留めることで、電力線が所定の方向に分岐等されて架設される。
【０００６】
請求項２に記載の発明は、鉄塔側に連結される被連結具と電力線を引留める耐張クランプとの間に碍子が配設されている耐張装置において、耐張クランプと碍子との間にヨークが設けられ、このヨークに、耐張クランプを取り付けるための取付部が電力線が架設され得る方向に合わせて複数設けられていることを特徴としている。
（作用）
電力線が架設され得る方向に合わせて、予め複数の取付部がヨークに設けられているため、新たな電力線を分岐等させて設ける場合、ヨークの取付部に新たな耐張クランプを取り付け、この耐張クランプで新たな電力線を引留めることで、電力線が所定の方向に分岐等されて架設される。
【０００７】
請求項３に記載の発明は、鉄塔側に連結される被連結具と電力線を引留める耐張クランプとの間に碍子が配設されている耐張装置において、耐張クランプと碍子との間に配設される耐張装置用ヨークであって、耐張クランプを取り付けるための取付部が電力線が架設され得る方向に合わせて複数設けられていることを特徴としている。
（作用）
本耐張装置用ヨークを既設の耐張装置に配設することで、耐張クランプが１つしか設けられていなかった既設（既存）の耐張装置が、複数の方向の電力線を引留められる耐張装置に構成される。すなわち、既設の耐張装置の耐張クランプと碍子との間に本耐張装置用ヨークを配設し、このヨークの取付部に複数の耐張クランプを取り付け、各耐張クランプで電力線を引留めることで、電力線が所定の方向に架設される。
【発明の効果】
【０００８】
請求項１に記載の発明によれば、本耐張装置を既設の耐張プレートに取り付けることで、電力線を所定の方向に分岐等させて架設することができる。このため、電力線を仮移線して既設の耐張プレートを取り外すなどの作業が不要となり、狭くかつ高所である作業場所において、容易に電力線を分岐等させることができる。この結果、電力線の分岐等に要する作業労力と時間とが削減され、作業の安全性も向上される。
【０００９】
請求項２に記載の発明によれば、ヨークの取付部に新たな耐張クランプを取り付けることで、電力線を所定の方向に分岐等させて架設することができる。しかも、ヨークの取付部に新たな耐張クランプを取り付けるだけであるため、既設の耐張クランプに引留められた電力線はそのままでよい。このため、既設の耐張プレートの取り外しなどが不要となり、電力線の分岐等に要する作業労力と時間とが削減され、作業の安全性も向上される。
【００１０】
請求項３に記載の発明によれば、既設の耐張装置の耐張クランプと碍子との間に本耐張装置用ヨークを配設し、このヨークの取付部に複数の耐張クランプを取り付けることで、電力線を所定の方向に分岐等させて架設することができる。このため、既設の耐張プレートの取り外しなどが不要となり、電力線の分岐等に要する作業労力と時間とが削減され、作業の安全性も向上される。しかも、既設の耐張クランプや碍子などはそのまま使用されるため、既設の耐張装置の部品が有効に活用される。
【発明を実施するための最良の形態】
【００１１】
以下、本発明を図示の実施形態に基づいて説明する。
【００１２】
図１は、本発明の実施形態に係わる耐張装置１を示す平面図で、図２はその側面図である。この耐張装置１は送電線（電力線）を引留めるために広く用いられている一連耐張装置と概略同様な構成となっており、同等の構成要素については、詳細な説明を省略する。
【００１３】
符号２、３はＵクレビス（被連結具）、符号４、９はホーン取付金具で、このホーン取付金具４，９の間に懸垂碍子６（碍子）が配設されている。また、符号５はキャップ側アークホーン、符号７はピン側アークホーンで、これらのアークホーン５、７は送電線にフラッシュオーバが生じた際に、アーク熱による懸垂碍子６の損傷や送電線の溶断を防止するものである。なお、符号８は平行クレビスである。
【００１４】
ホーン取付金具９には直角クレビス１０を介してヨーク１１が取り付けられている。このヨーク１１は略正三角形の平板で、その頂角部１１ａにおいて直角クレビス１０を介してホーン取付金具９に取り付けられ（連結され）、その側角部１１ｂ、１１ｃに直角クレビスリング１２を介して耐張クランプ１３、１４が取り付けられている。そして、第１耐張クランプ１３と第２耐張クランプ１４との開口角度θが約６０度になるように、耐張クランプ１３、１４が取り付けられている。このように耐張クランプ１３、１４が取り付けられているのは、後述するように、送電線を約６０度傾けて分岐させるために、本耐張装置１を使用することを前提としているからです。すなわち、送電線が架設される方向に合わせて耐張クランプ１３、１４が配設されているものである。なお、この耐張クランプ１３、１４は、支持部１３ａ、１４ａに送電線を載せて、送電線を支持、引留めるものである。
【００１５】
次に、このような構成の本耐張装置１を用いて、送電線Ｃ１を分岐させる手順について説明する。ここで、本実施形態では、略直線状に架設されている送電線Ｃ１に対して、新たな送電線Ｃ２を約６０度（１２０度）傾けて分岐させる手順について説明する。
【００１６】
まず、既設の送電線Ｃ１が、図３に示すように略直線状に架設されているとする。すなわち、図３（ｂ）に示すように、鉄塔の腕金Ｔ１の先端部に２方向用の耐張プレートＴ２が取り付けられ、この耐張プレートＴ２に一連耐張装置Ｔ３が取り付けられ（連結され）ている。そして、この一連耐張装置Ｔ３によって送電線Ｃ１が引留められ、図３（ａ）に示すように略直線状に架設されている。
【００１７】
このような送電線Ｃ１に対して、新たな送電線Ｃ２を約６０度（１２０度）傾けて分岐させるには、まず、分岐させる側の一連耐張装置Ｔ３を耐張プレートＴ２から取り外し、本耐張装置１を耐張プレートＴ２に取り付ける（連結させる）。すなわち、図４（ｂ）に示すように、本耐張装置１のＵクレビス２を耐張プレートＴ２の取付部（図示せず）に取り付ける。このとき、図４（ａ）に示すように、第１耐張クランプ１３が送電線Ｃ１（一連耐張装置Ｔ３）と並行するように本耐張装置１を配設する。これにより、上記のように、第１耐張クランプ１３と第２耐張クランプ１４との開口角度θが約６０度に設定されているため、第２耐張クランプ１４は送電線Ｃ１（一連耐張装置Ｔ３）に対して約６０度（１２０度）傾いた状態となる。そして、第１耐張クランプ１３で送電線Ｃ１を引留め、第２耐張クランプ１４で送電線Ｃ２を引留めることで、略直線状に架設されている送電線Ｃ１に対して、新たな送電線Ｃ２が約６０度（１２０度）傾いて分岐、架設されるものである。
【００１８】
このように、本耐張装置１を既設の耐張プレートＴ２に取り付けることで、送電線Ｃ２を所定の方向に分岐等させて架設することができる。このため、既設のすべての送電線Ｃ１を仮移線して耐張プレートＴ２を取り外すなどの作業が不要となり、狭くかつ高所である作業場所において、容易に送電線Ｃ１，Ｃ２を分岐等させることができる。この結果、送電線Ｃ１、Ｃ２の分岐等に要する作業労力と時間とが削減され、作業の安全性も向上される。
【００１９】
これに対し、本耐張装置１を用いないとすると、図５に示すようにして、送電線Ｃ２を分岐、架設しなければならない。すなわち、既設のすべての送電線Ｃ１を鉄塔の本体側へ仮移線して、既設の一連耐張装置Ｔ３および耐張プレートＴ２を取り外す。次に、図５（ｂ）に示すように、３方向用（Ｔ字形）の耐張プレートＴ４を鉄塔の腕金Ｔ１の先端部に取り付け、この耐張プレートＴ４に３つの一連耐張装置Ｔ３を取り付ける。そして、仮移線した送電線Ｃ１を元の位置に戻し、各一連耐張装置Ｔ３で送電線Ｃ１、Ｃ２を引留め、送電線Ｃ２とその一連耐張装置Ｔ３とを所定の方向に配設しなければならず、多大な労力と時間とを要する。
【００２０】
また、本耐張装置１を用いないとすると、３つの一連耐張装置Ｔ３を用い、かつ、新たな耐張プレートＴ４が必要となる。これに対し、本耐張装置１を用いることで、耐張装置の全体数が２つとなり、しかも既設の耐張プレートＴ２をそのまま使用することができる。このため、分岐作業に必要な資材が減り、資材経費も低減される。
【００２１】
ところで、本実施形態では、２つの耐張クランプ１３、１４を設け、かつ、その開口角度θが約６０度になるように配設されているが、耐張クランプの数、配設位置、方向は分岐させる送電線の数や架設される方向に合わせて決定すればよい。例えば、送電線をＴ字形に分岐させる場合には、開口角度θが約９０度になるように耐張クランプ１３、１４を配設すればよい。また、分岐線路を２つ設けたい場合には、第３の耐張クランプを設ければよい。なお、本耐張装置１では、１つの懸垂碍子６が配設された一連耐張装置となっているが、２つの懸垂碍子６が配設された２連耐張装置であってもよいことは勿論である。
【００２２】
さらに、本耐張装置１では、当初から２つの耐張クランプ１３、１４がヨーク１１に取り付けられているが、図６に示すように、必要に応じて第２耐張クランプ１４を取り付けられる耐張装置２１にしてもよい。すなわち、当初は第１耐張クランプ１３のみをヨーク１１に取り付け、ヨーク１１に第２耐張クランプ１４を取り付けるための取付孔１１ｄ（取付部）を設けるようにしてもよい。このような耐張装置２１では、送電線Ｃ１のみを引留める場合には、第２耐張クランプ１４を取り付けず、送電線Ｃ２を架設する場合には、ヨーク１１の取付孔１１ｄに第２耐張クランプ１４を取り付けて、第２耐張クランプ１４で送電線Ｃ２を引留めればよい。すなわち、第１耐張クランプ１３で引留められている送電線Ｃ１を仮移線したり、耐張装置２１を耐張プレートＴ２から取り外すことなどもなく、ヨーク１１に第２耐張クランプ１４を取り付けるだけで、新たな送電線Ｃ２を分岐、架設することができる。このため、分岐等に要する作業労力と時間とがさらに削減され、作業の安全性も向上される。また、予め想定される分岐方向（送電線が架設され得る方向）に合わせて取付孔１１ｄを複数設けることで、任意かつ多様な分岐などに対応することが可能となる。
【００２３】
また、図７に示すように、２つの耐張クランプを取り付けるための取付孔３１ｂ（取付部）が設けられたヨーク３１を、既設の一連耐張装置Ｔ３の耐張クランプと懸垂碍子との間に配設するようにしてもよい。すなわち、被取付孔３１ａを介して一連耐張装置Ｔ３の直角クレビス（１０）にヨーク３１を取り付け、取付孔３１ｂに直角クレビスリング（１２）を介して２つの耐張クランプを取り付けて、既設の一連耐張装置Ｔ３を２つの耐張クランプを備えた耐張装置に構成する。これにより、既設の耐張プレートＴ２や一連耐張装置Ｔ３を取り外すことなく、送電線を分岐等させることができる。しかも、既設の一連耐張装置Ｔ３の耐張クランプや懸垂碍子などをそのまま使用することができるため、既設の一連耐張装置Ｔ３の部品を有効に活用し、資材経費の低減を図ることができる。また、予め想定される分岐方向に合わせて取付孔３１ｂを複数設けることで、任意かつ多様な分岐などに対応することが可能となり、かつ、汎用的なヨーク３１を構成することが可能となる。
【図面の簡単な説明】
【００２４】
【図１】本発明の実施形態に係わる耐張装置の平面図。
【図２】本発明の実施形態に係わる耐張装置の側面図（図１の左側面図）。
【図３】本発明の実施形態において、送電線を分岐させる前の状態を示す模式図（ａ）と、その状態における鉄塔の腕金先端部を示す図（ｂ）。
【図４】本発明の実施形態に係わる耐張装置によって送電線を分岐させた状態を示す模式図（ａ）と、その状態における鉄塔の腕金先端部を示す図（ｂ）。
【図５】本発明の実施形態に係わる耐張装置を用いずに送電線を分岐させた状態を示す模式図（ａ）と、その状態における鉄塔の腕金先端部を示す図（ｂ）。
【図６】本発明の実施形態に係わる第２の耐張装置の平面図。
【図７】本発明の実施形態に係わる耐張装置のヨークの平面図。
【符号の説明】
【００２５】
１          耐張装置
２、３      Ｕクレビス（被連結具）
６          懸垂碍子（碍子）
１１        ヨーク
１１ｄ      取付孔（取付部）
１３        第１耐張クランプ
１４        第２耐張クランプ
３１        ヨーク
３１ａ      被取付孔
３１ｂ      取付孔（取付部）
Ｃ１        既設の送電線（電力線）
Ｃ２        新たな（分岐）送電線（電力線）
Ｔ１        鉄塔の腕金
Ｔ２        ２方向用の耐張プレート
Ｔ３        既設の一連耐張装置
Ｔ４        ３方向用の耐張プレート
【図１】
2006333651.tif 000003
【図２】
2006333651.tif 000004
【図３】
2006333651.tif 000005
【図４】
2006333651.tif 000006
【図５】
2006333651.tif 000007
【図６】
2006333651.tif 000008
【図７】
2006333651.tif 000009